(57)【要約】      （修正有）【課題】飲料等の収納容器の外部に巻装することによって、飲料等の冷却対象物を冷却若しくは保冷する冷却具において、冷却部の温度状態を的確に把握可能であり、効率よく冷却部の交換作業が可能となる冷却具を提供する。【解決手段】断熱材のシート体１１からなり、上記シート体の一方面部は遮温部１３により被覆されると共に、上記シート体の他方面部に配設された冷却部と、上記シート体の両端部に配設された止着部材とを備え、上記冷却部を冷却対象物に当接させると共に、上記シート体を上記冷却対象物の外部に巻装する冷却具１０において、上記冷却部の温度状態を検知しうる冷却部温度検知手段を備えた構成とする。【選択図】図１
0003158141.tif 000002
【実用新案登録請求の範囲】
【請求項１】
断熱材のシート体からなり、上記シート体の一方面部は遮温部により被覆されると共に、上記シート体の他方面部に配設された冷却部と、上記シート体の両端部に配設された止着部材とを備え、
上記冷却部を冷却対象物に当接させると共に、上記シート体を上記冷却対象物の外部に巻装する冷却具において、
上記冷却部の温度状態を検知しうる冷却部温度検知手段を備えることを特徴とする冷却具。
【請求項２】
上記冷却部温度検知手段は、上記シート体に設けられ、上記シート体を厚さ方向に貫通し、上記冷却部を視認しうる孔部から形成されることを特徴とする請求項１記載の冷却具。
【請求項３】
上記冷却部温度検知手段は、使用開始時からの経過時間を表示しうるタイマー装置であることを特徴とする請求項１記載の冷却具。
【請求項４】
上記冷却部温度検知手段は温度計であることを特徴とする請求項１記載の冷却具。
【請求項５】
上記シート体の両端部には、上記シート体よりも小さな厚さ寸法を有する一対のシート片部が延設され、上記止着部材は上記シート片部に配設されていることを特徴とする請求項１記載の冷却具。
【考案の詳細な説明】
【技術分野】
【０００１】
本考案は、飲料等の収納容器の外部に巻装することによって、飲料等の冷却対象物を冷却若しくは保冷する冷却具に関する。
【背景技術】
【０００２】
ワイン等の果実酒は、所定の温度よりも暖まると、風味及び味が損なわれることから、食事の間、所定の温度以下に保つために、氷の入った容器に、上記ワイン等のボトルを入れておくことで、冷却状態を保持していた。
【０００３】
しかし、氷が入った容器は、テーブル上において場所を占有するとから非常に邪魔であった。
また、氷の水分によってボトルの外周部が濡れてしまうことから、容器からボトルを抜き取った後、ボトル外周部に付着した水を布等によって拭き取る必要があり、非常に煩わしく、且つ衣服を濡らしてしまう恐れがあった。
【０００４】
上記の不具合を解決するため、図３に示すように、断熱材のシート体３１からなり、上記シート体３１の一方面部３２に配設された不織布等の外被材３３と、上記シート体３１の他方面部３４に複数配設された冷却部３５，３５，３５，３５，３５，３５と、上記シート体の両端部３１ａ、３１ｂに配設された面ファスナー等の止着部材３６，３６とを備えた冷却具３０が提案されている（特開２０００−１４６３９１号）。
【０００５】
図４に示すように、上記特許文献１に係る冷却具３０は、飲料缶容器３７の外周部に巻装し、上記飲料缶容器３７の外周部を被覆して上記止着部材３６によって固定される。
【０００６】
上記特許文献１に係る冷却具３０にあっては、冷却対象物である飲料缶容器３７に直接巻装して使用するため、氷の入った容器に飲料缶容器を入れて冷却する場合と比較して、テーブルを占有しないため、食事の妨げとならず、また、冷却具を巻装したまま容器を持つことができるため、手指若しくは衣服等が濡れる虞もないという利点を有していた。
【０００７】
しかしながら、上記特許文献１に係る冷却具３０は、飲料缶容器３７等に装着してから、所定の時間が経過すると内側の冷却部３５の温度が上昇し、冷却機能が低下するため、上記所定の時間が経過した後、冷却部３５を取り替える必要がある。
この際、上記冷却具３０を飲料缶容器３７等に巻装したままの状態では、上記シート体３１の一方面部３２からでは、不織布等の外被材３３が妨げとなって視認することができず、またシート体３１が断熱材であることから、外側から触っても、冷却部３５の冷却状態が感知できないため、的確なタイミングで上記冷却具３０を交換することが困難であるという不具合を有していた。
【特許文献１】特開２０００−１４６３９１号公報
【考案の開示】
【考案が解決しようとする課題】
【０００８】
本考案の解決する課題は、飲料等の収納容器の外部に巻装することによって、飲料等の冷却対象物を冷却若しくは保冷する冷却具において、冷却部の温度状態を的確に把握可能であり、効率よく冷却部の交換作業が可能となる冷却具を提供することにある。
【課題を解決するための手段】
【０００９】
上記課題を解決するために、請求項１に記載の考案に係る冷却具は、断熱材のシート体からなり、上記シート体の一方面部は遮温部により被覆されると共に、上記シート体の他方面部に着脱可能に配設された冷却部と、上記シート体の両端部に配設された止着部材とを備え、上記冷却部を冷却対象物に当接させると共に、上記シート体を上記冷却対象物の外部に巻装する冷却具において、上記冷却部の温度状態を検知しうる冷却部温度検知手段を備えることを特徴とする。
【００１０】
従って、上記冷却具を冷却対象物に装着した状態で、冷却部の温度状態を速やかに把握することができる。
【００１１】
また、請求項２に記載の考案に係る冷却具は、上記冷却部温度検知手段は、上記シート体に設けられ、上記シート体を厚さ方向に貫通し、上記冷却部を視認しうる孔部から形成されることを特徴とする。
従って、上記孔部を介して、上記シート体の他方面部に配置された冷却部の状態を視認することができる。
上記冷却部には、温度に応じて色が変化する形態のもの、若しくは温度変化に伴い固体からゲル状に変化する形態のもの等が流通しており、これらの冷却部にあっては、色の変化、若しくは固体液体状態の変化を視認することによって温度状態を認知することができる。
【００１２】
また、請求項３に記載の考案に係る冷却具は、上記冷却部温度検知手段は、使用開始時からの経過時間を表示しうるタイマー装置であることを特徴とする。    
従って、上記冷却具の使用の開始からの経過時間を把握することができる。
【００１３】
また、請求項４の考案に係る冷却具は、上記冷却部温度検知手段は温度計であることを特徴とする。
従って、冷却部の温度状態を数値として認識することができる。
【００１４】
また、請求項５の考案に係る冷却具は、上記シート体の両端部には、上記シート体よりも小さな厚さ寸法を有する一対のシート片部が延設され、上記止着部材は上記シート片部に配設されていることを特徴とする。
従って、上記シート片部が上記シート体よりも薄い厚さ寸法に形成されているため、止着部分において、上記シート片部を重ねた場合であっても重ね合わせた部分が膨らみ難い。
【考案の効果】
【００１５】
請求項１乃至４の考案にあっては、冷却具のシート体に冷却部の温度状態を検知する冷却部温度検知手段を備えていることから、冷却部の温度状態を的確に把握可能であり、効率よく交換作業が可能となる冷却具を提供することができる。
特に請求項２の考案にあっては、シート体に孔部を形成する形態であるため、構造が単純であり、製造コストを低減することができる。
また、請求項３及び４の考案にあっては、冷却部の交換時期を時間、若しくは温度という数値を視認することによって判断することができるため、より効率的に冷却具の交換を行うことができる。
【００１６】
また請求項５の考案にあっては、上記シート体の両端部には、上記シート体よりも小さな厚さ寸法を有する一対のシート片部が延設され、上記止着部材は上記シート片部に配設されていることによって、上記シート片部が上記シート体よりも薄い厚さ寸法に形成されているため、止着部分において、上記シート片部を重ねた場合であっても重ねた部分が膨らまず、上記冷却具を冷却対象物に装着した装着状態における外観品質が高いと共に、膨らみ部分に手指が当たって、冷却対象物を倒してしまう虞が無い。
【図面の簡単な説明】
【００１７】
【図１】本考案の一実施の形態を示し、実施例の形態における冷却具の（ａ）は一方面部、（ｂ）は他方面部の構成を示す平面図である。
【図２】本考案の一実施の形態を示し、実施例の形態における冷却具を冷却対象物に巻装した状態を示す斜視図である。
【図３】従来の冷却具の形態を示す斜視図である。
【図４】従来の冷却具を冷却対象物に巻装した状態を示す斜視図である。
【考案を実施するための最良の形態】
【００１８】
以下図面を用いて本実施例の形態について、冷却部温度検知手段がシート体にもうけられた孔部であり、止着部材が面ファスナーである場合を例に、本考案の実施の形態を説明する。
図１に示すように、本実施例に係る冷却具１０は、断熱材のシート体１１と、上記シート体１１の一方面部１２を被覆する遮温部１３と、上記シート体１１の他方面部１４に着脱可能に配設された冷却部１５，１５，１５，１５と、上記シート体１１の両端部１１ａ、１１ｂの近傍に止着部材である面ファスナー１６，１６とを備え、上記シート体１１の一方面部１２には、他方面部１４に貫通し上記冷却部１５の温度状態を検知しうる冷却部温度検知手段である孔部１７とを備えている。
また、上記シート体１１の両端部１１ａ，１１ｂには、上記シート体１１よりも小さな厚さ寸法を有する一対のシート片部１８，１８が延設され、上記面ファスナー１６，１６は上記シート片部１８、１８上に配設されている。
【実施例１】
【００１９】
以下に添付図面を用いて、本実施例の構成について説明する。
図１は、本実施例に係る冷却具の（ａ）は一方面部、（ｂ）は他方面部の構成を示す平面図である。
図１（ａ）、（ｂ）に示すように、シート体１１は発泡ポリエチレン等の発泡部材からなり、全体長方形に形成されている。
なお、上記シート体１１の素材は、断熱性及び可撓性を有する素材であれば、上記素材に限定する必要は無く、ウレタン材、ゴム、皮革等を自由に選択することができる。
また、シート体１１の長さ方向寸法及び幅方向寸法は、冷却対象部材の大きさ寸法に従って、適宜調整することができる。
【００２０】
また、図１（ａ）に示すように、上記シート体１１の一方面部１２は、外部の熱を反射しうる、アルミニウムの蒸着層である遮温部１３によって被覆されている。
また、図１（ｂ）に示すように、上記シート体１１の他方面部１４上には、長さ方向に沿って４つの冷却部１５，１５，１５，１５が取り付けられている。
上記冷却部１５は、例えば一般的に市販されている、合成樹脂の袋体の中にゲル状の冷却剤が封入され、温度状態によって色が変化する形態のものを使用することができる。
なお、装着する冷却部１５の個数は、使用する冷却部１５の大きさ及び、シート体１１の大きさ寸法に合わせて適宜調整することができる。
また、上記冷却部１５の取り付け方法としては、着脱可能な粘着部材によって上記シート体１１の他方面部１４上に貼設固定する手段、若しくは上記冷却部１５と上記シート体１１の他方面部１４上に面ファスナー等を配設して、上記面ファスナー等の接着力によって固定する手段等を適宜選択することができる。
【００２１】
また、上記シート体１１の幅方向端部に延設された一対のシート片部１８，１８は、上記シート体１１の厚さ寸法の１／２の厚さ寸法に形成され、上記面ファスナー１６、１６は、一方のシート片部１８においては一方面部１２側に
他方のシート片部１８においては、他方面部１４側に配設されている。
【００２２】
また、上記孔部１７は、上記シート部材１１の幅方向端部近傍に配置されている。
なお、上記孔部１７の位置、大きさ、数については、上記冷却部１５，１５、１５，１５の冷却機能が損なわれない範囲であれば、適宜変更しても同様の作用効果を呈する。
【００２３】
本実施例の構成について以下添付図面を引用して詳述する。
図２に示すように、ワイン等のボトル１９の周りに、本実施例に係る冷却具１０を冷却部１５が配設されている他方面部１４が内側となるように巻装し、上記シート片部１８，１８の面ファスナー１６、１６を互いに係合させて固定する。
この場合、上記シート片部１８，１８が上記シート体１１の約１／２の厚さ寸法に形成されているため、シート片部１８，１８が重なった部分がシート体１１と略同一の厚さとなり、固定部分においても段部や膨らみが生じない。
従って、手指等が引っ掛かることが無く、また装着時における外観品質も高い。
【００２４】
また、シート体１１が断熱部材であることから、外側の一方面部１２まで冷感が伝わらず、手で把持した際にも冷たくなく、且つ外側の一方面部に水滴がつくこともないため、テーブルを濡らすことがない。
更に、外側の一方面部１２にはアルミ蒸着層が形成されているため、外部の熱が内側の他方面部１４に伝達され難く、冷却効果をより長く持続させることができる。
【００２５】
また、上記シート体１１に設けられた孔部１７から、内側の冷却部１５の状態が視認できるため、例えば色が変わる冷却部１５を用いた場合は、その色の変化を確認することで、冷却部の取替え時期を速やかに把握することができる。
【００２６】
なお、冷却部温度検知手段として温度計を用いる場合は、上記シート体１１の他方面部１４側に温度を検知するセンサを配置して、外側に上記センサが検知した温度を表示する温度表示部を配設する必要がある。
上記センサ及び温度表示部については、公知の手段を自由に組み合わせて用いることが可能である。
【００２７】
また、タイマー装置を取り付ける場合についても、経過時間を表示する場合のほか、所定時間が経過した際に、光、若しくは音声等で通知する方法としてもよい。
【産業上の利用可能性】
【００２８】
飲料等の収納容器の外部に巻装することによって、飲料等の冷却対象物を冷却若しくは保冷する冷却具に適用が可能である。
【符号の説明】
【００２９】
１０  冷却具
１１  シート体
１１ａシート体端部
１１ｂシート体端部
１２  シート体一方面部
１３  遮温部
１４  シート体の他方面部
１５  冷却部
１６  面ファスナー
１７  孔部
１８  シート片部
１９  ボトル
３０  冷却具
３１  シート体
３１ａシート体端部
３１ｂシート体端部
３２  シート体一方面部
３３  外被材
３４  シート体の他方面部
３５  冷却部
３６  止着部材
３７  飲料缶容器
【図１】
0003158141.tif 000003
【図２】
0003158141.tif 000004
【図３】
0003158141.tif 000005
【図４】
0003158141.tif 000006